(57)【特許請求の範囲】
【請求項１】
試験を受けるユーザーに装着されるヘッドマウントディスプレーと、
画像を読み取る画像読取装置と、
前記画像読取装置と通信するサーバーと
を備え、
前記ヘッドマウントディスプレーは、設問を表示する表示部と、前記ユーザーの視線方向を検出する視線方向検出部とを含み、
前記画像読取装置は、
前記ヘッドマウントディスプレーから、前記ヘッドマウントディスプレーに割り当てられた識別子と前記視線方向を示す情報とを取得する取得部と、
前記設問に対する前記ユーザーの解答が記載された用紙の画像を読み取る読取部と、
前記識別子と前記視線方向の情報と前記用紙の画像とを前記サーバーに送信する通信部と
を含み、
前記サーバーは、
前記識別子と前記視線方向の情報と前記用紙の画像とを関連づけて記憶する記憶部と、
前記視線方向の情報に基づいて、前記ユーザーの前記視線方向が所定方向を向いているか否かを判定する視線判定部と、
を含む、試験システム。
【請求項２】
前記表示部は、試験開始時刻から試験終了時刻まで前記設問を表示する、請求項１に記載の試験システム。
【請求項３】
前記サーバーは、前記解答が記載された前記用紙の画像に基づいて前記解答を採点する採点部をさらに含む、請求項１または請求項２に記載の試験システム。
【請求項４】
前記サーバーの前記記憶部は、前記設問を記憶し、
前記サーバーは、前記設問を前記ヘッドマウントディスプレーに送信する通信部をさらに含み、
前記ヘッドマウントディスプレーの前記表示部は、前記サーバーから受信した前記設問を表示する、請求項１から請求項３のいずれか１項に記載の試験システム。
【請求項５】
前記サーバーの前記記憶部は、前記ユーザーの網膜に対応する第１網膜情報を記憶し、
前記視線方向検出部は、前記ヘッドマウントディスプレーを装着した前記ユーザーの網膜を検出し、
前記画像読取装置の前記取得部は、前記視線方向検出部が検出した前記網膜に対応する第２網膜情報を取得し、
前記画像読取装置の前記通信部は、前記第２網膜情報を前記サーバーに送信し、
前記サーバーは、前記第１網膜情報と前記第２網膜情報とが一致するか否かを判定する照合部をさらに含む、請求項１から請求項４のいずれか１項に記載の試験システム。
【請求項６】
前記サーバーの前記視線判定部が、前記ユーザーの前記視線方向が前記所定方向を向いていると判定した場合、前記ユーザーを不合格であると判定する合否判定部をさらに含む、請求項１から請求項５のいずれか１項に記載の試験システム。
【請求項７】
画像形成装置をさらに備え、
前記画像形成装置は、前記合否判定部の判定した結果を示す情報をシートに形成する画像形成部を含み、
前記画像形成部は、前記シートが真正か否かを判別するマークを前記シートに形成する、請求項６に記載の試験システム。
【発明の詳細な説明】
【技術分野】
【０００１】
本発明は、試験システムに関する。
【背景技術】
【０００２】
特許文献１には、不正行為を防止することが可能な通信システムが開示されている。この通信システムでは、受験者の頭部に装着可能に構成され、装着時に受験者の眼前に画像を表示するＨＭＤ（Ｈｅａｄ  Ｍｏｕｎｔ  Ｄｉｓｐｌａｙ）のような端末装置を用いる。端末装置に、設問を表示させることで、装着者が端末装置に表示される設問以外の情報を視認することを防止する。
【先行技術文献】
【特許文献】
【０００３】
【特許文献１】特開２００９−２３７８０１号公報
【発明の概要】
【発明が解決しようとする課題】
【０００４】
しかしながら、特許文献１に記載の通信システムでは、ユーザーは、電子ペーパー及び電子ペンを利用して解答を作成し、中央装置に解答のデータが送信される。従って、解答は電子データであるため、電子ペーパー、電子ペン、又は中央装置のような装置の不具合によって、電子データが破壊又は消失される可能性がある。
【０００５】
本発明は、上記課題に鑑みてなされたものであり、試験を受けるユーザーの不正行為を検出しつつ、解答を画像データだけでなく用紙でもバックアップできる試験システムを提供することを目的とする。
【課題を解決するための手段】
【０００６】
本発明の観点によれば、試験システムは、ヘッドマウントディスプレーと、画像読取装置と、サーバーとを備える。ヘッドマウントディスプレーは、試験を受けるユーザーに装着される。画像読取装置は、画像を読み取る。サーバーは、前記画像読取装置と通信する。前記ヘッドマウントディスプレーは、表示部と、視線方向検出部とを含む。表示部は、設問を表示する。視線方向検出部は、前記ユーザーの視線方向を検出する。前記画像読取装置は、取得部と、読取部と、通信部とを含む。取得部は、前記ヘッドマウントディスプレーから、前記ヘッドマウントディスプレーに割り当てられた識別子と前記視線方向を示す情報とを取得する。読取部は、前記設問に対する前記ユーザーの解答が記載された用紙の画像を読み取る。通信部は、前記識別子と前記視線方向の情報と前記用紙の画像とを前記サーバーに送信する。前記サーバーは、記憶部と、視線判定部とを含む。記憶部は、前記識別子と前記視線方向の情報と前記用紙の画像とを関連づけて記憶する。視線判定部は、前記視線方向の情報に基づいて、前記ユーザーの前記視線方向が所定方向を向いているか否かを判定する。
【発明の効果】
【０００７】
本発明によれば、試験を受けるユーザーの不正行為を検出しつつ、解答を画像データだけでなく用紙でもバックアップできる。
【図面の簡単な説明】
【０００８】
【図１】本発明の実施形態に係る試験システムの構成図である。
【図２】本発明の実施形態に係る試験システムを示すブロック図である。
【図３】本発明の実施形態に係る試験システムを示すフローチャートである。
【発明を実施するための形態】
【０００９】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１０】
（実施形態１）
図１及び図２を参照して、本発明の実施形態に係る試験システム１００について説明する。図１は、試験システム１００の構成図である。試験システム１００は、試験を受けるユーザー（以下、本明細書において受験者と記載する）の不正行為を検出しつつ、解答をデータだけでなく用紙でもバックアップできるシステムである。本実施形態において、受験者には、識別子としての受験番号が割り当てられている。
【００１１】
試験システム１００は、ヘッドマウントディスプレー１、画像読取装置２、サーバー３、及び画像形成装置４を備える。ヘッドマウントディスプレー１、画像読取装置２、サーバー３、及び画像形成装置４は、ネットワーク５を介して通信する。ネットワーク５は、例えば、インターネット、又はＷＡＮ（Ｗｉｄｅ  Ａｒｅａ  Ｎｅｔｗｏｒｋ）である。ネットワーク５では、ＳＳＬ（Ｓｅｃｕｒｅ  Ｓｏｃｋｅｔｓ  Ｌａｙｅｒ）による暗号化通信が行われてもよい。
【００１２】
ヘッドマウントディスプレー１は、受験者の頭部に装着される。ヘッドマウントディスプレー１には、ヘッドマウントディスプレー１を装着する受験者の受験番号に相当する識別子が割り当てられている。以下、本明細書において、ヘッドマウントディスプレー１には、ヘッドマウントディスプレー１を装着する受験者の受験番号が識別子として割り当てられている場合について説明する。なお、ヘッドマウントディスプレー１に割り当てられる識別子と、受験者の受験番号とは、異なる文字列であってもよい。
【００１３】
図２は、試験システム１００を示すブロック図である。ヘッドマウントディスプレー１は、制御部１０、表示部１１、視線方向検出部１２及び通信部１３を含む。制御部１０は、表示部１１、視線方向検出部１２、及び通信部１３を制御する。具体的には、制御部１０は、処理装置と、記憶装置（主記憶装置及び補助記憶装置）とから構成される。そして、処理装置は、記憶装置に記憶されたコンピュータープログラムを実行する。
【００１４】
本実施形態におけるヘッドマウントディスプレー１は、双眼型である。従って、ヘッドマウントディスプレー１の表示部１１は、ヘッドマウントディスプレー１を装着する受験者の左右の目（眼球）のそれぞれの前方に配置される。表示部１１は、例えば液晶ディスプレーや有機エレクトロルミネッセンス（有機ＥＬ）ディスプレーのような表示素子である。表示部１１は、試験開始時刻から試験終了時刻まで試験の設問を表示する。設問は、制御部１０の記憶装置に記憶されている。受験者は、表示部１１に表示された設問に対する解答を用紙（以下、本明細書において解答用紙と記載する）に記載する。
【００１５】
視線方向検出部１２は、試験開始時刻から試験終了時刻まで、ヘッドマウントディスプレー１を装着した受験者の視線方向及び網膜を検出する。本実施形態では、視線方向検出部１２は、近赤外線ＬＥＤ（Ｌｉｇｈｔ  Ｅｍｉｔｔｉｎｇ  Ｄｉｏｄｅ）、赤外線カメラ、及び検出器を有する。赤外線カメラは、例えばＣＣＤイメージセンサーやＩｎＧａＡｓ／Ｔ２ＳＬ（Ｔｙｐｅ  ＩＩ  Ｓｕｐｅｒ  Ｌａｔｔｉｃｅ）センサーのような撮像素子を含み得る。
【００１６】
例えば、視線方向検出部１２は、近赤外線ＬＥＤで受験者の眼球に近赤外線を照射し、赤外線カメラは、近赤外線が照射された受験者の眼球を撮像して、眼球画像を取得する。ヘッドマウントディスプレー１は、眼球画像から角膜反射点と瞳孔とを検知し、それらの位置関係から受験者の視線方向を検出する。つまり、本実施形態では、視線方向検出部１２は、角膜反射法によって受験者の視線方向を検出する。また、例えば、視線方向検出部１２は、近赤外線ＬＥＤで受験者の眼球に近赤外線を照射し、ヘッドマウントディスプレー１を装着した受験者の網膜を検出する。
【００１７】
通信部１３は、制御部１０をネットワーク５に接続する。その結果、制御部１０は、通信部１３及びネットワーク５を介して画像読取装置２、サーバー３、及び画像形成装置４と通信することができる。通信部１３は、例えば、ＮＩＣ（ネットワークインターフェイスコントローラー）である。
【００１８】
通信部１３は、ＮＦＣ通信部１３１を含む。ヘッドマウントディスプレー１は、ＮＦＣ通信部１３１を介して他のＮＦＣ通信部を含む装置と非接触通信する。非接触通信は、例えば、所定周波数（例えば、１３．５６ＭＨｚ、４．９１５ＭＨｚ）の高周波磁界を媒体として用いた近距離無線通信（Ｎｅａｒ  Ｆｉｅｌｄ  Ｃｏｍｍｕｎｉｃａｔｉｏｎ：ＮＦＣ）である。
【００１９】
画像読取装置２は、画像を読み取る。画像読取装置２は、制御部２０、通信部２１、及び読取部２２を含む。制御部２０は、通信部２１及び読取部２２を制御する。制御部２０は、取得部２０１を含む。具体的には、制御部２０は、処理装置と、記憶装置とから構成される。そして、処理装置は、記憶装置に記憶されたコンピュータープログラムを実行する。その結果、制御部２０は、取得部２０１として機能する。
【００２０】
通信部２１は、制御部２０をネットワーク５に接続する。その結果、制御部２０は、通信部２１及びネットワーク５を介してヘッドマウントディスプレー１、サーバー３、及び画像形成装置４と通信することができる。通信部２１は、ＮＦＣ通信部２１１を含む。従って、ヘッドマウントディスプレー１と画像読取装置２とは、近距離通信できる。例えば、受験者がヘッドマウントディスプレー１を画像読取装置２に近づけると、ヘッドマウントディスプレー１のＮＦＣ通信部１３１と画像読取装置２のＮＦＣ通信部２１１とが近距離無線通信する。
【００２１】
試験終了後、受験者は、ヘッドマウントディスプレー１を画像読取装置２に近づけるとともに、解答用紙を読取部２２に載置する。取得部２０１は、ＮＦＣ通信部２１１を介して、ヘッドマウントディスプレー１から、受験番号と受験者の視線方向の情報と視線方向検出部１２が検出した網膜に対応する第２網膜情報とを取得する。一方、読取部２２は、受験者によって読取部２２に載置された解答用紙の画像を読み取る。制御部２０は、通信部２１を介して受験番号と受験者の視線方向の情報と第２網膜情報と解答用紙の画像とをサーバー３に送信する。なお、読取部２２に画像を読み取られた解答用紙は、試験の管理者に保管される。
【００２２】
サーバー３は、制御部３０、記憶部３１、及び通信部３２を含む。制御部３０は、記憶部３１、及び通信部３２を制御する。制御部３０は、視線判定部３０１、合否判定部３０２、照合部３０３、及び採点部３０４を含む。制御部３０は、記憶部３１に記憶されたコンピュータープログラムを実行する。その結果、制御部３０は、視線判定部３０１、合否判定部３０２、照合部３０３、及び採点部３０４として機能する。
【００２３】
通信部３２は、制御部３０をネットワーク５に接続する。その結果、制御部３０は、通信部３２及びネットワーク５を介してヘッドマウントディスプレー１、画像読取装置２、及び画像形成装置４と通信することができる。受験番号と受験者の視線方向の情報と解答用紙の画像と第２網膜情報とは、通信部３２を介して画像読取装置２からサーバー３に送信される。記憶部３１は、受験番号と受験者の視線方向の情報と解答用紙の画像と第２網膜情報とを関連づけて記憶する。なお、記憶部３１は、試験開始前に、受験者の網膜に対応する第１網膜情報と、受験番号と、受験者のパスワードを予め記憶している。
【００２４】
照合部３０３は、記憶部３１に予め記憶された第１網膜情報と画像読取装置２から受信した第２網膜情報とを照合し、第１網膜情報と第２網膜情報とが一致するか否かを判定する。照合部３０３が第１網膜情報と第２網膜情報とが一致すると判定する場合、本来の受験者と試験を受けた受験者とは同一である。すなわち、本人が試験を受けたことが検出される。一方、照合部３０３が第１網膜情報と第２網膜情報とが一致しないと判定する場合、本来の受験者と試験を受けた受験者とが同一ではない。従って、受験者が替玉受験したことが検出される。その結果、受験者の不正行為を検出できる。
【００２５】
視線判定部３０１は、画像読取装置２から取得した視線方向の情報に基づいて、受験者の視線方向が所定方向を向いているか否かを判定する。本実施形態において、所定方向とは、ユーザーの視線が、ヘッドマウントディスプレー１の表示部１１に表示される設問を見ていない方向である。視線判定部３０１が、受験者の視線方向が所定方向を向いていないと判定する場合、受験者は、ヘッドマウントディスプレー１の表示部１１に表示された設問を注視し、カンニングをしていないと判定される。一方、視線判定部３０１が、受験者の視線方向が所定方向を向いていると判定した場合、受験者は、表示部１１に表示された設問と異なる対象を見たと判定される。従って、受験者は、カンニングしたと判定される。その結果、受験者の不正行為を検出できる。
【００２６】
採点部３０４は、画像読取装置２から取得した解答用紙の画像に基づいて受験者の解答を採点する。採点部３０４は、例えば、解答用紙の画像に、所定のキーワードが含まれているか否かを判定して採点したり、所定の値が導き出せているかを判定して採点したりする。合否判定部３０２は、採点部３０４の採点した結果に基づいて、受験者が合格及び不合格のいずれであるかを判定する。なお、受験者が不正行為を行っていた場合、合否判定部３０２は、受験者を不合格と判定する。
【００２７】
画像形成装置４は、制御部４０、画像形成部４２、及び通信部４３を含む。制御部４０は、画像形成部４２及び通信部４３を制御する。制御部４０は、認証部４０１を含む。具体的には、制御部４０は、処理装置と、記憶装置とから構成される。そして、処理装置は、記憶装置に記憶されたコンピュータープログラムを実行する。その結果、制御部４０は、認証部４０１として機能する。
【００２８】
通信部４３は、制御部４０をネットワーク５に接続する。その結果、制御部４０は、通信部４３及びネットワーク５を介してヘッドマウントディスプレー１、画像読取装置２、及びサーバー３と通信することができる。
【００２９】
認証部４０１は、受験者から受験番号及びパスワードの入力を受け付ける。認証部４０１は、通信部４３を介して、受験者から入力された受験番号及びパスワードが、記憶部３１に予め関連付けて記憶されたパスワード及び受験番号と一致するか否かを認証する。認証部４０１が受験者から入力された受験番号及びパスワードを認証すると、画像形成部４２は、認証した受験番号に対応する合否判定部３０２の判定した結果を示す情報を、シートに形成する。画像形成部４２は、合否判定部３０２の判定した結果を示す情報に重ね合わせて、シートが真正か否かを判別するマークをシートに形成する。シートが真正か否かを判別するマークは、例えばウォーターマークである。従って、シートは証明書として機能する。なお、認証部４０１が受験者から入力された受験番号及びパスワードを認証しない場合、画像形成部４２は、合否判定部３０２の判定した結果を示す情報をシートに形成しない。
【００３０】
本実施形態によれば、サーバー３には、受験番号と解答用紙の画像と視線方向の情報とが関連付けて記憶される。解答用紙は、試験の管理者に保管される。視線方向は、表示部１１に表示された設問を見ていない方向である。従って、視線方向が所定方向を向いている場合、受験者は、カンニングしたことが検出される。その結果、受験者の不正行為を検出しつつ、解答を画像データだけでなく用紙でもバックアップできる。
【００３１】
また、本実施形態によれば、ヘッドマウントディスプレー１の表示部１１は、試験開始時刻から試験終了時刻まで設問を表示する。従って、受験者が設問を視認できる時間が等しくなる。その結果、試験は、公正に実施される。
【００３２】
さらに、本実施形態によれば、ヘッドマウントディスプレー１の表示部１１は、設問を表示する。従って、試験の管理者は、設問の記載された問題用紙を受験者に配布しなくてよい。その結果、試験の管理者の問題用紙を配布する負荷を抑制できる。
【００３３】
さらに、本実施形態によれば、ヘッドマウントディスプレー１に設問が表示される。従って、設問の記載された問題用紙を製造する必要がない。その結果、試験を実施するためのコストを削減できる。
【００３４】
さらに、本実施形態によれば、受験者の網膜が検出される。従って、受験者が替玉受験した否かを検出できる。その結果、受験者の不正行為を検出できる。
【００３５】
さらに、本実施形態によれば、サーバー３の合否判定部３０２が解答用紙の画像に基づいて、受験者の解答を採点する。従って、試験の管理者が解答を採点する負荷を抑制できる。
【００３６】
さらに、本実施形態によれば、画像形成部４２は、ウォーターマークを重ね合わせて合否判定部３０２の判定した結果を示す情報をシートに形成した。従って、シートの信憑性が向上する。
【００３７】
次に、図１〜図３を参照して試験システム１００の詳細について説明する。図３は、試験システム１００を示すフローチャートである。ステップＳ１〜ステップＳ４１が実行されることによって、試験における受験者の不正行為を検出しつつ、解答を画像データだけでなく用紙でもバックアップできる。
【００３８】
ステップＳ１１において、ヘッドマウントディスプレー１の表示部１１は、試験開始時刻から設問を表示する。ステップＳ１において、受験者は、設問に対する解答を作成し、解答用紙に記載する。ステップＳ１３において、ヘッドマウントディスプレー１の視線方向検出部１２は、表示部１１が設問を表示している間、受験者の視線方向を検出する。
【００３９】
ステップＳ１５において、ヘッドマウントディスプレー１の表示部１１は、試験終了時刻に設問を非表示にし、受験者は、解答の作成を終了する。ステップＳ３において、受験者は、解答用紙を画像読取装置２に載置し、頭部に装着していたヘッドマウントディスプレー１を画像読取装置２に近づける。
【００４０】
ステップＳ２１において、画像読取装置２は、読取部２２で受験者に載置された解答用紙の画像を読み取るとともに、取得部２０１でヘッドマウントディスプレー１から受験番号と受験者の視線方向を示す情報とを取得する。ステップＳ２３において、画像読取装置２の通信部２１は、受験番号と、受験者の視線方向を示す情報と、解答用紙の画像とをサーバー３に送信する。
【００４１】
ステップＳ３１において、サーバー３の記憶部３１は、受験番号と、受験者の視線方向を示す情報と、解答用紙の画像とを関連付けて記憶する。ステップＳ３３において、サーバー３の視線判定部３０１は、記憶部３１に記憶された受験者の視線方向を示す情報に基づいて、受験者の視線方向が所定方向を向いているか否かを判定する。ステップＳ３３において肯定的判定（ＹＥＳ）がされる場合、すなわち、受験者の視線方向が所定方向を向いていると判定される場合、受験者は、試験中にカンニングを行ったと判定され、処理は、ステップＳ４１に進む。
【００４２】
ステップＳ３３において否定的判定（ＮＯ）がされる場合、すなわち、受験者の視線方向が所定方向を向いていないと判定される場合、受験者は、試験中にカンニングを行わなかったと判定され、処理はステップＳ３５に進む。ステップＳ３５において、サーバー３の採点部３０４は、記憶部３１に記憶された解答用紙の画像に基づいて、受験者の解答を採点する。合否判定部３０２は、採点部３０４の採点した結果に基づいて、受験者が合格したか否かを判定する。ステップＳ４１において、画像形成装置４の画像形成部４２は、サーバー３から受信した受験者の合否を示す情報をシートに形成する。
【００４３】
以上、図１〜図４を参照して説明したように本実施形態によれば、サーバー３には、受験者の受験番号と解答用紙の画像と視線方向の情報とが記憶される。視線方向は、所定方向を向いているか否かが判定される。従って、受験者は、視線方向が所定方向を向いていると判定される場合、不正行為をしたと判定される。その結果、受験者の不正行為を検出しつつ、解答を画像データだけでなく用紙でもバックアップできる。
【００４４】
以上、図面（図１〜図３）を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。
【００４５】
（１）ヘッドマウントディスプレー１の表示部１１は、ヘッドマウントディスプレー１の記憶装置に記憶される設問を表示した。ただし、サーバー３の通信部３２が、サーバー３の記憶部３１に記憶される設問をヘッドマウントディスプレー１に送信し、ヘッドマウントディスプレー１の表示部１１は、サーバー３から受信した設問を表示してもよい。
【００４６】
（２）図１及び図２を参照して説明したように、照合部３０３がサーバー３で予め登録された網膜の情報と、視線方向検出部１２が検出した受験者の網膜の情報とを照合することによって、受験者の本人確認が行われた。ただし、顔写真、又は指紋によって受験者の本人確認が行われてもよい。
【００４７】
（３）図１及び図２を参照して説明したように、試験終了後、受験者がヘッドマウントディスプレー１を画像読取装置２に近づけつつ、解答用紙を読取部２２に載置した。ただし、試験の管理者がヘッドマウントディスプレー１と解答用紙とを回収して、ヘッドマウントディスプレー１を画像読取装置２に近づけつつ、解答用紙を読取部２２に載置してもよい。
【００４８】
（４）図１及び図２を参照して説明したように、受験者は、ヘッドマウントディスプレー１と画像読取装置２とを互いに近づけて近距離通信させた。ただし、ヘッドマウントディスプレー１に内蔵されたＩＣチップに制御部１０及びＮＦＣ通信部１３１が格納されている場合、受験者は、ＩＣチップをヘッドマウントディスプレー１から取り出して、ＩＣチップを画像読取装置２に近づけてもよい。
【００４９】
（５）図１及び図２を参照して説明したように、サーバー３の採点部３０４が解答用紙の画像に基づいて、受験者の解答を採点した。ただし、試験の管理者が解答用紙に記載された解答を採点して、採点した結果をサーバー３の記憶部３１に受験番号と関連付けて記憶させてもよい。同様にして、試験の管理者が合否を判定して、合否を判定した結果を示す情報を記憶部３１に記憶させてもよい。
【産業上の利用可能性】
【００５０】
本発明は、試験システムの分野に利用可能である。
【符号の説明】
【００５１】
１      ヘッドマウントディスプレー（ＨＭＤ）
１２    視線方向検出部
２      画像読取装置
２０１  取得部
２２    読取部
３      サーバー
３０１  視線判定部
３０２  合否判定部
３０３  照合部
３０４  採点部
３１    記憶部
４      画像形成装置
４２    画像形成部
【図１】
0006451664.tif 000002
【図２】
0006451664.tif 000003
【図３】
0006451664.tif 000004